(57)【要約】      （修正有）【課題】バックライトシートや導光板などの特別な付加部品が設けられていないまま、その元来構造の改造でバックライトを形成する上、該バックライトを更にキーに集中することができるバックライト付きキーボードを提供する。【解決手段】薄膜回路基板３４と、複数の入力キースイッチ３を有する入力キーセットと、発光手段４２と、からなっているキーボードにおいて、薄膜回路基板３４それ自体は、発光手段４２の発光を受けてから分散させ、分散光としてその内部に広く伝えて周りに投光することができてバックライトシートとされ得る構造となる上、その内部が更に分散光を案内して複数の入力キースイッチ３の方へ導く。【選択図】図２
0003148959.tif 000002
【実用新案登録請求の範囲】
【請求項１】
薄膜回路基板と、
前記薄膜回路基板の上面に実装されていてそれらへの押圧操作により前記薄膜回路基板を通して入力信号を発生させることができる複数の入力キースイッチを有する入力キーセットと、
前記薄膜回路基板の周縁近くに取り付けられている発光手段と、からなっているキーボードにおいて、
前記薄膜回路基板それ自体は、前記発光手段の発光を受けてから分散させ、分散光としてその内部に広く伝えて周りに投光することができてバックライトシートとされ得る構造となる上、その内部が更に前記分散光を案内して前記複数の入力キースイッチの方へ導くように構成されていて前記バックライトシートとしての能力が強化され得ることを特徴とするバックライト付きキーボード。
【請求項２】
薄膜回路基板と、
前記薄膜回路基板の上面に実装されていてそれらへの押圧操作により前記薄膜回路基板を通して入力信号を発生させることができる複数の入力キースイッチを有する入力キーセットと、
前記薄膜回路基板の周縁近くに取り付けられている発光手段と、からなっているキーボードにおいて、
前記薄膜回路基板それ自体は、前記発光手段の発光を受けてから分散させ、分散光としてその内部に広く伝えて周りへ投光することができてバックライトシートとされ得る構造となる上、その内部が更に前記分散光を案内して前記複数の入力キースイッチへそれぞれ導く複数の反射ドットが構成されていて前記バックライトシートとしての能力が強化され得ることを特徴とするバックライト付きキーボード。
【請求項３】
前記薄膜回路基板は、上部回路シートと、絶縁シートと、下部回路シートと、の順で積層してなったものであり、
また、前記複数の反射ドットは、前記下部回路シートの、前記絶縁シートと向かい合っている面に設けられていることを特徴とする請求項２に記載のバックライト付きキーボード。
【請求項４】
前記複数の反射ドットは、いずれもドーム形となる上、前記下部回路シートの、前記各入力キースイッチと対応する箇所に集中していることを特徴とする請求項３に記載のバックライト付きキーボード。
【請求項５】
前記下部回路シートの下面にキーボードベースが張り付けられており、該キーボードベースは、前記下部回路シートの下面から逸脱する前記分散光を反射できる金属板からなっていて反射板とされ得ること特徴とする請求項４に記載のバックライト付きキーボード。
【請求項６】
前記キーボードベースの下方に発光手段用のフレキシブルプリント基板が設けられており、
前記発光手段は、前記フレキシブルプリント基板の上面に、前記キーボードベース、前記下部回路シート及び前記絶縁シートを貫くように実装されていることを特徴とする請求項５に記載のバックライト付きキーボード。
【請求項７】
前記発光手段として発光ダイオードが使用されていることを特徴とする請求項１乃至請求項６のいずれか１項に記載のバックライト付きキーボード。
【請求項８】
前記反射ドットは、導光用インクからなったものであることを特徴とする請求項２乃至請求項６のいずれか１項に記載のバックライト付きキーボード。
【請求項９】
前記上部回路シート、前記絶縁シート、及び前記下部回路シートは、いずれもポリカーボネート又はポリメチルメタクリレートからなったものであることを特徴とする請求項３乃至請求項６のいずれか１項に記載のバックライト付きキーボード。
【請求項１０】
前記薄膜回路基板は方形であり、
前記発光手段は、四個あり、それぞれ前記薄膜回路基板の四隅の一つに設けられていることを特徴とする請求項１乃至請求項６のいずれか１項に記載のバックライト付きキーボード。
【考案の詳細な説明】
【技術分野】
【０００１】
本考案は、入力装置としてのキーボードに関し、特にコンピュータ、ノートパソコン又は携帯電話に使用されるバックライト付きキーボードに関するものである。
【背景技術】
【０００２】
従来、夜間や暗い場所でコンピュータ、ノートパソコン又は携帯電話を使用するために、バックライト付きキーボードが使用されている（下記特許文献１〜４参照）。
【０００３】
バックライト付きキーボードとは、発光手段の発光を受けてから分散させ、分散光としてその内部に広く伝えて周りに投光することができるバックライトシートが取り付けられていて該バックライトシートを利用して複数の入力キースイッチのバックライトをつくるキーボードをいう。
【０００４】
従来のバックライト付きキーボードは、特許文献４を主として説明すれば、透光の薄膜回路基板と、前記薄膜回路基板を下側から支持しているキーボードベースと、前記薄膜回路基板の上面に実装されていてそれらへの押圧操作により前記薄膜回路基板を通して入力信号を発生させることができる複数の入力キースイッチを有する入力キーセットと、前記キーボードベースの下側に取り付けられている導光板と、前記導光板の周縁近くに取り付けられている発光手段とを備えている上、前記いずれの入力キースイッチのキートップも透光材からなっており、前記キーボードベースの各入力キースイッチと対応する部分が透光材からなっており、また、前記導光板は、前記複数の入力キースイッチのバックライトをつくるバックライトシートと、前記バックライトシートの下側面に該下側面から逸脱する前記分散光を上の方へ反射し、そのバックライトをつくる性質を強化させる反射板が張り付けられているので、前記キートップから露光し、各入力キースイッチを夜間や暗い場所でもよく見えるようにさせることができる。
【０００５】
しかしながら、このバックライトシート、特に、該バックライトシートの下面に反射板が張り付けられてなっている導光板の利用は、まず、キーボード全体を厚くさせ、キーボードの薄形化趨向に適わない、という欠点がある。
【０００６】
また、この従来例においては、前記従来の導光板に反射板が張り付けられていても、この反射板に当たる分散光をその入射角度に応じてそのまま前記入力キーセットへ無差別に反射し、前記複数の入力キースイッチのそれぞれへ集中しない広範囲反射となるので、発光手段が多く必要あり、特にキーボードの面積が大きい場合、発光手段がもっと多く必要であって電力の消費に不利である上、導光板によるバックライトとしての明るさも前記発光手段から遠く離れれば離れるほど弱くなる、という欠点もある。
【特許文献１】台湾特許公告第５１６６７１号
【特許文献２】台湾特許公告第５８７８００号
【特許文献３】台湾特許公告第Ｍ３０６６８９号
【特許文献４】台湾特許公告第Ｍ３３０５１３号
【考案の開示】
【考案が解決しようとする課題】
【０００７】
前記問題点を解消するために、本考案は、バックライトシートや導光板などの特別な付加部品が設けられていないまま、その元来構造の改造でバックライトをつくる上、該バックライトを更に各キーに集中することができるバックライト付きキーボードを提供することを課題とする。
【課題を解決するための手段】
【０００８】
前記課題を達成するために、本考案は、薄膜回路基板と、前記薄膜回路基板の上面に実装されていてそれらへの押圧操作により前記薄膜回路基板を通して入力信号を発生させることができる複数の入力キースイッチを有する入力キーセットと、前記薄膜回路基板の周縁近くに取り付けられている発光手段と、からなっているキーボードにおいて、前記薄膜回路基板それ自体は、前記発光手段の発光を受けてから分散させ、分散光としてその内部に広く伝えて周りに投光することができてバックライトシートとされ得る構造となる上、その内部が更に前記分散光を案内して前記複数の入力キースイッチの方へ導くように構成されていて前記バックライトシートとしての能力が強化され得ることを特徴とするバックライト付きキーボード（請求項１）、特に、薄膜回路基板と、前記薄膜回路基板の上面に実装されていてそれらへの押圧操作により前記薄膜回路基板を通して入力信号を発生させることができる複数の入力キースイッチを有する入力キーセットと、前記薄膜回路基板の周縁近くに取り付けられている発光手段と、からなっているキーボードにおいて、前記薄膜回路基板それ自体は、前記発光手段の発光を受けてから分散させ、分散光としてその内部に広く伝えて周りへ投光することができてバックライトシートとされ得る構造となる上、その内部が更に前記分散光を案内して前記複数の入力キースイッチへそれぞれ導く複数の反射ドットが構成されていて前記バックライトシートとしての能力が強化され得ることを特徴とするバックライト付きキーボード（請求項２）を提供する。
【考案の効果】
【０００９】
前記構成によるバックライト付きキーボードは、バックライトシートや導光板などの特別な付加部品が設けられていないまま、その元来構造の改造でバックライトをつくる上、該バックライトを更に入力キーセットにおける各キーだけに集中するので、その発光手段の必要量及びその全体の厚さを最小限に抑えることができる。
【考案を実施するための最良の形態】
【００１０】
以下、本考案の一実施形態の詳細を説明する。
【００１１】
図１は本考案の一実施形態であるバックライト付きキーボードの分解図であり、図２はその部分分解図、図３はその組立て状態時の部分断面図、図４は図３の部分拡大図である。
【００１２】
図１に示すように、本考案のバックライト付きキーボードは、長方形となった薄膜回路基板３４と、前記薄膜回路基板３４の上面に実装されていてそれらへの押圧操作により前記薄膜回路基板３４を通して入力信号を発生させることができる複数の入力キースイッチ３を有する入力キーセット２と、前記薄膜回路基板３４の周縁近くに取り付けられている発光手段４２と、からなっている。
【００１３】
前記入力キーセット２における各入力キースイッチ３は、押圧操作によりユーザとの接点になるキートップ３２２と、前記キートップ３２２を支持している昇降可能なＸ型リンクレバー３２１と、前記Ｘ型リンクレバー３２１の下面と接続している内部空洞状の弾性部３３と、を有する。また、前記入力キーセット２は、前記複数の弾性部３３を載置している弾性シート３５を有する（図２参照）。
【００１４】
前記キートップ３２２は、透光材からなっている。前記弾性部３３や前記弾性シート３５は、いずれもラバーなどの従来バックライト付きキーボードに利用されている材料からなっている。また、前記各弾性部３３の空洞状内部には、凸部が形成されている（図示せず）。
【００１５】
前記薄膜回路基板３４は、フレキシブルプリント基板（ＦＰＣ）であり、上部回路シート３４３と、絶縁シート３４２と、下部回路シート３４１と、の順で積層してなったものである。前記上部回路シート３４３の下表面に、複数の上部回路３４４Ａ及び複数の上部接点３４４Ｂを更に形成し、また、前記下部回路シート３４１の上表面に、複数の下部回路３４８Ａ及び複数の下部接点３４８Ｂを更に形成している。キートップ３２２が押し下げられると、押されたキートップ３２２と接する弾性部３３内部の凸部（図示せず）が押されて、前記上部回路シート３４３における対応の上部接点３４４Ｂが前記下部回路シート３４１における対応の下部接点３４８Ｂと接触して、前記上部回路３４４Ａ及び前記下部回路３４８Ａが電気接続になり、入力信号が発生する。
【００１６】
本実施形態において、上部回路シート３４３、絶縁シート３４２、及び下部回路シート３４１は、いずれもポリカーボネート又はポリメチルメタクリレート等の導光性材料からなったものである。それで、前記薄膜回路基板３４は、前記発光手段４２の発光で前記複数の入力キースイッチ３のバックライトシートとされ得る。
【００１７】
また、前記薄膜回路基板３４の内部には更に前記発光手段４２からきて分散され、最後にそれらに到達する分散光を案内して前記複数の入力キースイッチ３へそれぞれ導く複数の反射ドット３４５が構成されているので、前記バックライトシートとしての能力が強化され得る。本実施態様において、その複数の反射ドット３４５は、前記下部回路シート３４１の、前記絶縁シート３４２と向かい合っている面に、特に前記下部回路シート３４１の、前記各入力キースイッチ３と対応する箇所に集中するように設けられている。更に、前記複数の反射ドット３４５は、いずれもＳｉＯ２、又はＴｉＯ２などを含んだ導光用インクからなったドーム形のものである。
【００１８】
そのため、本考案のバックライト付きキーボードにおける薄膜回路基板３４は、バックライトシートとされる上、キーボードが使用される際に、前記薄膜回路基板３４における前記複数の反射ドット３４５に当たる分散光がそれらのドーム形の輪郭により多方向に分散されるのでなくいずれもほぼ同一の方向、即ち対応の入力キースイッチ３の方向へ反射されるので、投光が集中的になり、バックライトシートとしての能力が従来より強化される。
【００１９】
従って、本考案は、キーボードの面積が大きい場合でも導光板などの特別な付加部品が設けられていないまま、前記の構造改造だけでバックライトをつくる上、該バックライトを更に各キーに集中するので、その発光手段の必要量及びその全体の厚さを最小限に抑えることができる。
【００２０】
なお、図示のように、前記下部回路シート３４１の下面にキーボードベース３１が張り付けられており、該キーボードベース３１は、前記下部回路シート３４１の下面から逸脱する前記分散光を反射できる金属板からなっているので、従来の反射板の機能を果たせる。
【００２１】
前記キーボードベース３１の上面に、パンチにより、前記薄膜回路基板３４と前記キーセット２とを固定する複数の固定部３１１が形成されている。
【００２２】
前記キーボードベース３１の下方に発光手段用のフレキシブルプリント基板４１が設けられており、前記発光手段４２は、発光ダイオードからなり、前記フレキシブルプリント基板４１の上面に、前記キーボードベース３１の貫孔３１２、前記下部回路シート３４１の貫孔３４６及び前記絶縁シート３４２の貫孔３４７を通すように実装されていて、また、それらからの発光は、前記薄膜回路基板３４の側辺近くの断面から入ってから、該バックライトシートとしての薄膜回路基板３４の構成材質によりよく分散され、平均的に前記複数の反射ドット３４５に送られて対応の入力キースイッチ３の方向へ反射され得る。
【００２３】
また、本実施体態様においては、前記発光手段４２は前記薄膜回路基板３４の四隅に設けられているが、それに限られず、長方形の四辺、または他の適当な位置に配置されても良い。
【産業上の利用可能性】
【００２４】
叙上のように、本考案は、前記構成によるバックライト付きキーボードが、バックライトシートや導光板などの特別な付加部品が設けられていないまま、その元来構造の改造でバックライトを形成する上、該バックライトを更に各キーに集中するので、その発光手段の必要量及びその全体の厚さを最小限に抑えることができ、薄型化の面にも電力消費及びコストの面にもとても有利である。
【図面の簡単な説明】
【００２５】
【図１】本考案の一実施形態であるバックライト付きキーボードの分解図である。
【図２】前記バックライト付きキーボードの部分分解図である。
【図３】前記バックライト付きキーボードの組立て時の部分断面図である。
【図４】図３の部分拡大図である。
【符号の説明】
【００２６】
２  入力キーセット
３  入力キースイッチ
３１  キーボードベース
３１１  固定部
３１２  貫孔
３２１  Ｘ型リンクレバー
３２２  キートップ
３３  弾性部
３４  薄膜回路基板
３４１  下部回路シート
３４２  絶縁シート
３４３  上部回路シート
３４４Ａ  上部回路
３４４Ｂ  上部接点
３４５  反射ドット
３４６  貫孔
３４７  貫孔
３４８Ａ  下部回路
３４８Ｂ  下部接点
３５  弾性シート
４１  フレキシブルプリント基板
４２  発光手段
【図１】
0003148959.tif 000003
【図２】
0003148959.tif 000004
【図３】
0003148959.tif 000005
【図４】
0003148959.tif 000006